(57)【要約】【課題】取り付けの作業性を向上させつつ、コネクタに対する保持力を向上させ得るコネクタカバー及びコネクタの取付け構造を提供する。【解決手段】コネクタカバー１０は、開口部２７を有し、開口部２７よりコネクタ６０を収容する本体部２０と、本体部２０に装着される蓋部４０と、を備えている。本体部２０は、コネクタ６０が開口部２７から離脱する方向でコネクタ６０に接触する被押さえ部２４を有している。蓋部４０は、本体部２０にコネクタ６０が収容された収容状態において、被押さえ部２４に開口部２７側から接触する押さえ部４３を有している。【選択図】図１１
2020126713.tif 000002
【特許請求の範囲】
【請求項１】
開口部を有し、前記開口部よりコネクタを収容する本体部と、
前記本体部に装着される蓋部と、
を備え、
前記本体部は、前記コネクタが前記開口部から離脱する方向で前記コネクタに接触する被押さえ部を有し、
前記蓋部は、前記本体部に前記コネクタが収容された収容状態において、前記被押さえ部に前記開口部側から接触する押さえ部を有するコネクタカバー。
【請求項２】
前記押さえ部は、前記収容状態において、前記被押さえ部を前記コネクタ側に押圧する請求項１に記載のコネクタカバー。
【請求項３】
前記被押さえ部は、突起を有し、
前記押さえ部は、前記突起が進入する孔を有し、
前記被押さえ部は、前記孔の内面に前記突起が当たることで、前記コネクタとの接触状態を維持する請求項１又は請求項２に記載のコネクタカバー。
【請求項４】
前記本体部は、前記コネクタが設置される設置面が設けられる底壁部と、前記底壁部から起立した側壁部と、を有し、
前記被押さえ部は、前記側壁部の端部において、スリットを介して弾性変形可能に設けられている請求項１ないし請求項３のいずれか１項に記載のコネクタカバー。
【請求項５】
請求項１ないし請求項４のいずれか１項に記載のコネクタカバーに取り付けられるコネクタの取付構造であって、
前記コネクタは、相手側コネクタとの嵌合を案内する突状のガイド部を有し、
前記被押さえ部は、前記ガイド部の外面に接触し得るコネクタの取付構造。
【発明の詳細な説明】
【技術分野】
【０００１】
本発明は、コネクタカバー及びコネクタの取付構造に関する。
【背景技術】
【０００２】
特許文献１に開示されるコネクタカバーは、角形コネクタを覆う構成である。コネクタカバーは、角形コネクタの三側面を覆う第１カバー本体と、角形コネクタの一側面を覆う第２カバー本体と、を備えている。第１カバー本体は、鋸歯状の一対のラッチを有している。第２カバー本体は、槍状の一対のランスを有している。第１カバー本体に対して第２カバー本体が閉じた状態で、ランスとラッチとが係止状態となり、コネクタカバーによって角形コネクタの外殻が覆われる。
【先行技術文献】
【特許文献】
【０００３】
【特許文献１】特開２００８−２７７１０８号公報
【発明の概要】
【発明が解決しようとする課題】
【０００４】
特許文献１のコネクタカバーは、角形コネクタに取り付ける際に、角形コネクタの三側面が覆われるように、角形コネクタが第１カバー本体内に挿入される。しかし、第１カバー本体を第２カバー本体で閉塞し、ランスとラッチとが係止状態になるまで、角形コネクタをコネクタカバーに固定することができず、容易に離脱してしまう。また、ランスとラッチの間には、適正な係止が行われるように所定のクリアランスが設けられるため、ランスとラッチとの係止後も、コネクタカバーと角形コネクタとの間でガタつきが生じ易くなる。そのため、コネクタカバーによる角形コネクタの保持力が期待できない。
【０００５】
本発明は上記のような事情に基づいて完成されたものであって、取り付けの作業性を向上させつつ、コネクタに対する保持力を向上させ得るコネクタカバー及びコネクタの取付構造を提供することを課題とする。
【課題を解決するための手段】
【０００６】
本発明の第１態様のコネクタカバーは、開口部を有し、前記開口部よりコネクタを収容する本体部と、前記本体部に装着される蓋部と、を備え、前記本体部は、前記コネクタが前記開口部から離脱する方向で前記コネクタに接触する被押さえ部を有し、前記蓋部は、前記本体部に前記コネクタが収容された収容状態において、前記被押さえ部に前記開口部側から接触する押さえ部を有する。
【０００７】
本体部の被押さえ部は、コネクタが開口部から離脱する方向でコネクタに接触する。そのため、蓋部が本体部に装着されていないときでも、被押さえ部によってコネクタの本体部からの離脱を規制し、本体部にコネクタを保持させることができる。これにより、コネクタに挿入されている端子付電線を配索する際の作業性が向上する。その上で、蓋部の押さえ部は、本体部にコネクタが収容された収容状態において、被押さえ部に開口部側から接触する。そのため、被押さえ部によって、本体部からのコネクタの離脱を確実に規制し、蓋部が本体部に装着されているときのコネクタカバーによるコネクタの保持力を向上させることができる。
【０００８】
本発明の第２態様のコネクタの取付構造は、上記コネクタカバーに取り付けられるコネクタの取付構造であって、前記コネクタは、相手側コネクタとの嵌合を案内する突状のガイド部を有し、前記被押さえ部は、前記ガイド部の外面に接触し得る。
【０００９】
これによれば、コネクタの既存構造を利用して、コネクタカバーによるコネクタの保持力を向上させることができる。そのため、コネクタの取付構造の構成を簡単にすることができる。
【図面の簡単な説明】
【００１０】
【図１】本発明の実施例１のコネクタをコネクタカバーに取り付けた状態をあらわす正面図である。
【図２】コネクタをコネクタカバーに取り付けた状態をあらわす平面図である。
【図３】コネクタをコネクタカバーに取り付けた状態をあらわす左側面図である。
【図４】コネクタをコネクタカバーに取り付けた状態をあらわす右側面図である。
【図５】蓋部が開状態のときのコネクタカバーの正面図である。
【図６】蓋部が開状態のときのコネクタカバーの平面図である。
【図７】蓋部が開状態のときのコネクタカバーの左側面図である。
【図８】蓋部が開状態のときのコネクタカバーの右側面図である。
【図９】蓋部が開状態でコネクタをコネクタカバーに取り付けた状態をあらわす正面図である。
【図１０】蓋部が開状態でコネクタをコネクタカバーに取り付けた状態をあらわす平面図である。
【図１１】図２のＡ−Ａ断面をあらわす断面図である。
【図１２】図１１の一部を拡大してあらわす拡大図である。
【図１３】本発明の他の実施例の図１２に相当する図である。
【図１４】本発明のさらなる他の実施例の図１２に相当する図である。
【発明を実施するための形態】
【００１１】
本発明の好ましい実施形態を以下に示す。
（１）前記押さえ部は、前記収容状態において、前記被押さえ部を前記コネクタ側に押圧してもよい。これによれば、被押さえ部は、押さえ部からの押圧によって、コネクタに押さえ付けられる形で接触することになる。そのため、被押さえ部とコネクタとの接触状態をより一層安定して維持することができる。
（２）前記被押さえ部は、突起を有し、前記押さえ部は、前記突起が進入する孔を有し、前記被押さえ部は、前記孔の内面に前記突起が当たることで、前記コネクタとの接触状態を維持してもよい。これによれば、蓋部が閉状態であるときに、被押さえ部の突起が押さえ部の孔に進入した状態で、突起が孔の内面に当たる。そのため、被押さえ部の突起が外部異物と干渉し難くなる。
（３）前記本体部は、前記コネクタが設置される設置面が設けられる底壁部と、前記底壁部から起立した側壁部と、を有し、前記被押さえ部は、前記側壁部の端部において、スリットを介して弾性変形可能に設けられていてもよい。これによれば、被押さえ部は、側壁部にスリットを設けることで容易に作ることができる。
【００１２】
＜実施例１＞
以下、本発明の実施例１を図１〜図１２を参照して説明する。
本実施例１のコネクタカバー１０は、コネクタ６０を保護し、コネクタ６０から引き出される電線Ｗ（図１０参照）の配索方向を規定する。コネクタカバー１０は、図１〜４に示すように、コネクタ６０に対して外周を覆うように配置される。複数の電線Ｗが、コネクタカバー１０で屈曲させられ、導出させられる。
【００１３】
なお、以下の説明において、上下、左右の方向については、図１，５，９にあらわれる向きを、そのまま上方、下方と定義する。前後の方向については、図２，６，１０における下方を、前方と定義する。
【００１４】
コネクタ６０は、図１に示すように、ブロック状のハウジング本体６１と、ハウジング本体６１の外周を覆う筒状の嵌合筒部６２と、端子金具（図示略）と、を有している。ハウジング本体６１には、複数のキャビティ（図示略）が左右一列に並んで設けられている。各キャビティには、後方から端子金具が挿入されて収容されている。各端子金具は電線Ｗの端末部に接続されている。各電線Ｗは、ハウジング本体６１の後端から後方に引き出されている。また、例えば、各電線Ｗの外周面にはゴム栓（図示略）が嵌着されており、端子金具がキャビティに挿入されるに従ってゴム栓がキャビティの内周面に密着し、キャビティ内が液密にシールされる。
【００１５】
嵌合筒部６２は、合成樹脂製である。嵌合筒部６２には、図１に示すように、コネクタ６０が相手側コネクタ（図示略）と嵌合する際に、相手側コネクタを誘導する第１ガイド部６２Ａ及び一対の第２ガイド部６２Ｂが形成されている。第１ガイド部６２Ａ及び第２ガイド部６２Ｂは、断面Ｕ字形であって、前後方向に長く延びる形状とされている。第１ガイド部６２Ａは、嵌合筒部６２の下端における左右方向の中央において下方に突出している。第２ガイド部６２Ｂは、嵌合筒部６２の左右両端からそれぞれ外側に突出している。第１ガイド部６２Ａ及び第２ガイド部６２Ｂの内側は、レール溝状をなし、嵌合筒部６２の前端に開口している。第１ガイド部６２Ａ及び第２ガイド部６２Ｂの内側には、図示しない相手側コネクタのガイドリブが進入し、両コネクタの嵌合動作が案内される。また、嵌合筒部６２の上側の壁には、弾性的に撓んで相手側コネクタに係止するロックアーム６２Ｃが形成されている。嵌合筒部６２におけるロックアーム６２Ｃの前方には、上方に張り出す張出部６２Ｄが形成されている。
【００１６】
コネクタカバー１０は、合成樹脂製であって、図５〜８に示すように、本体部２０と、下側導入部３０と、蓋部４０と、上側導入部５０と、をそれぞれ一体に備えている。本体部２０は、図５，６に示すように、前方及び上方が開放された箱状であって、後述する開口部２７よりコネクタ６０を収容する。本体部２０の後端には、下側導入部３０と連通するための凹部２０Ａが形成されている。本体部２０は、図６に示すように、底壁部２１と、一対の側壁部２２と、を有している。底壁部２１の上面は、コネクタ６０が設置される設置面２１Ａとなっている。底壁部２１の左右方向中央には、前後方向に長く下方に凹む凹部２１Ｂが形成されている。一対の側壁部２２は、底壁部２１の左右両側の端からそれぞれ立ち上がっている。本体部２０の上面には、設置面２１Ａに対向する開口部２７が形成されている。
【００１７】
本体部２０の角部の内側には、図５，６に示すように、略三角形状の支持壁２３が設けられている。具体的には、本体部２０の左右両側に、それぞれ前後方向に所定間隔離された一対の支持壁２３が設けられている。支持壁２３の上端は、コネクタ６０の下面に沿った湾曲形状であり、コネクタ６０を下方から支持する。
【００１８】
本体部２０には、図５，６に示すように、コネクタ６０が設置面２１Ａから離脱する方向（上方）で、コネクタ６０に接触する被押さえ部２４が設けられている。被押さえ部２４は、可撓性の係止アーム状である。被押さえ部２４は、延出部２４Ａと、接触部２４Ｂと、突起２４Ｃと、を有している。延出部２４Ａは、側壁部２２の前端を構成し、底壁部２１から上方に延びる帯板状である。側壁部２２における前端よりも少し後方の位置にスリット２２Ａが形成され、スリット２２Ａの前端が延出部２４Ａで区画される。このように、延出部２４Ａは、側壁部２２にスリット２２Ａを介して容易に形成することができる。
【００１９】
接触部２４Ｂは、図５，６に示すように、延出部２４Ａの上端の内側（他方の延出部２４Ａに対向する側）に設けられる突起である。接触部２４Ｂは、前後方向から見て湾曲状の外形を有する凸状であり、前後方向で延出部２４Ａの大部分（前端を除く部分）に沿った長手状になっている。接触部２４Ｂは、コネクタ６０の外周（第２ガイド部６２Ｂ）に係止することで、コネクタカバー１０のコネクタ６０からの脱落を阻止する。
【００２０】
突起２４Ｃは、図５，６に示すように、延出部２４Ａの上端から上方に突出している。突起２４Ｃは、延出部２４Ａの上端面の内側寄りの位置であり、延出部２４Ａの前後方向の中央側に形成されている。突起２４Ｃは、延出部２４Ａにおいて、接触部２４Ｂより少し前方の位置に形成されている。突起２４Ｃの上側の角は、丸みを帯びている。
【００２１】
右側の側壁部２２には、図６，８に示すように、係止突起２５が設けられている。係止突起２５は、爪状であり、右側の側壁部２２の右側面（他方の側壁部２２とは反対側の面）から突出している。係止突起２５は、左右方向から見て四角形状である。係止突起２５は、後述する蓋部４０の係止片４５に係止する。また、右側の側壁部２２には、側壁部２２における係止突起２５の上側を覆う被覆部２６が設けられている。被覆部２６と側壁部２２との間には、後述する係止片４５が上方から入り込み可能な隙間が形成される。
【００２２】
下側導入部３０は、図６，８に示すように、本体部２０の後端に連なっている。下側導入部３０は、コネクタ６０の後端から引き出された複数の電線Ｗが配索される部材である。下側導入部３０は、基板３１と、第１側壁３２と、第２側壁３３と、を有している。基板３１は、略Ｌ字状の底壁である。第１側壁３２は、基板３１の左端及び後端から上方に立ち上がっている。第２側壁３３は、基板３１の右前側に位置する端から上方に立ち上がっている。下側導入部３０の右側の端には、左右方向に開口した導出部３４が形成されている。
【００２３】
下側導入部３０の右端における前側及び後側には、図５，６に示すように、本体部２０の係止突起２５と同様の構成で、一対の係止突起３５が設けられている。一対の係止突起３５は、後述する上側導入部５０の一対の係止片５１にそれぞれ係止する。第１側壁３２及び第２側壁３３には、本体部２０の被覆部２６と同様の構成で、それぞれ係止突起３５を覆う被覆部３６が設けられている。
【００２４】
蓋部４０は、図１〜４に示すように、本体部２０に装着され、コネクタ６０を上方から覆う形状である。なお、以下の蓋部４０の説明では、上下及び左右の方向は、開口部２７を閉塞している状態（図１〜４）を基準とする。蓋部４０は、図１，２に示すように、ヒンジ４０Ａを介して本体部２０に連結している。蓋部４０は、開口部２７を閉塞する閉状態で本体部２０に係止する。蓋部４０は、図６に示すように、上壁部４１と、一対の縁部４２と、を有している。上壁部４１は、コネクタ６０の外周の上側の形状に沿うように、上方（図５〜７，９，１０では下方）に凸となるように湾曲している。上壁部４１には、左右方向の中央側において上方に膨出する膨出部４１Ａが形成されている。一対の縁部４２は、上壁部４１の左右両端のそれぞれから水平方向に延出している。
【００２５】
縁部４２の前端は、図５，６，８に示すように、本体部２０にコネクタ６０が収容された収容状態において、被押さえ部２４に開口部２７側から接触して、被押さえ部２４とコネクタ６０との接触状態を維持する押さえ部４３によって構成されている。押さえ部４３の幅は、縁部４２におけるその他の部分の幅よりも大きくなっている。押さえ部４３は、上下方向に貫通する孔４４が形成されている。孔４４は、図１２に示すように、本体部２０の突起２４Ｃが進入可能な大きさになっている。孔４４の内側側面４４Ａは、上下方向に延びている。内側側面４４Ａの下端は、前後方向から見て湾曲している。孔４４の外側側面４４Ｂは、下側側面４４Ｃと、蓋側斜面４４Ｄと、を有している。下側側面４４Ｃは、上下方向に延び、下端が前後方向から見て湾曲している。蓋側斜面４４Ｄは、下側側面４４Ｃに対して上側に連なっている。蓋側斜面４４Ｄは、下方（コネクタ６０が設置面２１Ａから離脱する方向）に対して傾斜している。すなわち、蓋側斜面４４Ｄは、上方に向かうにつれて、内側側面４４Ａ側に張り出している。
【００２６】
右側（図５，６，９，１０では左側）の縁部４２において、後端より少し前方の位置に係止片４５が設けられている。係止片４５は、左右方向に薄肉であり、前後方向及び上下方向に沿った板片状である。係止片４５は、基端（図５，９では下端）を支点として撓み変形可能とされている。係止片４５には、図７，８に示すように、本体部２０の係止突起２５を嵌合可能な係止孔４５Ａが貫通して設けられている。係止孔４５Ａは、左右方向から見て上下方向に長い矩形の開口形状をなしている。
【００２７】
上側導入部５０は、図３，４に示すように、下側導入部３０を上方から覆う形態である。上側導入部５０は、ヒンジ５０Ａを介して下側導入部３０に連結されている。上側導入部５０は、略Ｌ字状の板形状である。上側導入部５０の右側（図５，６，９，１０では左側）の端において、蓋部４０の係止片４５と同様の構成で、一対の係止片５１が設けられている。係止片５１には、図５に示すように、下側導入部３０の係止突起３５を嵌合可能な係止孔５１Ａが貫通して設けられている。
【００２８】
次に、本実施例の作用を説明する。
コネクタカバー１０のコネクタ６０への取り付けは、まず、図９，１０に示すように、コネクタ６０を本体部２０に取り付けることから行われる。コネクタ６０は、本体部２０の設置面２１Ａ上に設置される。このとき、コネクタ６０の第１ガイド部６２Ａは、凹部２１Ｂに入り込んで位置決めされる。また、コネクタ６０は、支持壁２３によって下方から支持される。
【００２９】
コネクタ６０が開口部２７を介して本体部２０内に挿入される際、被押さえ部２４は、接触部２４Ｂが第２ガイド部６２Ｂによって外側に押圧されることで、外側に弾性変形する。第２ガイド部６２Ｂが接触部２４Ｂを乗り越えて、図９，１０に示すように、接触部２４Ｂよりも下方に移動すると、被押さえ部２４が弾性復帰する。すると、接触部２４Ｂは、第２ガイド部６２Ｂに弾性的に係止する。このとき、接触部２４Ｂは、コネクタ６０が設置面２１Ａから離脱する方向から（すなわち上方から）、第２ガイド部６２Ｂに接触するようになる。
【００３０】
このように、本体部２０の被押さえ部２４は、コネクタ６０が開口部２７から離脱する方向（すなわち上方）で、コネクタ６０に接触する。そのため、蓋部４０が開口部２７を開放する開状態であるときでも、被押さえ部２４によって本体部２０からの離脱を規制し、本体部２０にコネクタ６０を保持させることができる。これにより、コネクタ６０に挿入されている端子付電線を配索する際の作業性が向上する。また、接触部２４Ｂは、第２ガイド部６２Ｂに係止するため、コネクタ６０に接触部２４Ｂを係止する部分を別途設ける必要がなくなる。
【００３１】
コネクタ６０を設置面２１Ａに設置する工程において、図１０に示すように、複数の電線Ｗを下側導入部３０内に配索させる。コネクタ６０の後端から引き出されている複数の電線Ｗは、凹部２０Ａに挿入された後、導出部３４に挿入される。なお、複数の電線Ｗは、例えばコルゲートチューブＴに挿通されており、コルゲートチューブＴの溝に導出部３４が入り込むことによって位置決めされる。これにより、複数の電線Ｗは、下側導入部３０内に屈曲状態で配索され、後方から右方向に導出方向が変えられて導出される。
【００３２】
続いて、図１〜図４に示すように、蓋部４０は、コネクタ６０を覆うようにして本体部２０に被せられる。蓋部４０は、開口部２７を閉塞する閉状態となる。蓋部４０の一対の縁部４２は、それぞれ本体部２０の一対の側壁部２２の上端に上方から重なる。コネクタ６０の張出部６２Ｄは、蓋部４０の膨出部４１Ａに入り込む。蓋部４０は、ロックアーム６２Ｃを上方から覆い、ロックアーム６２Ｃに外部から操作力が作用しないように配置される。
【００３３】
蓋部４０で本体部２０を覆う過程において、係止片４５が、被覆部２６と側壁部２２との隙間に入り込む。そして、係止片４５は、係止突起２５上を摺動して、外側（図４紙面上方）へ撓み変形させられる。このとき、係止片４５は、被覆部２６と側壁部２２とによって挟まれながら下方へ案内される。蓋部４０と本体部２０とが合体すると、係止片４５が弾性復帰し、係止孔４５Ａに係止突起２５が嵌まり込んで係止される。これにより、蓋部４０と本体部２０とは、位置ずれすることなく緊密に連結された状態になる。
【００３４】
また、蓋部４０で本体部２０を覆う過程において、一対の被押さえ部２４の突起２４Ｃは、孔４４に進入し、それぞれ一対の押さえ部４３の蓋側斜面４４Ｄに当たる。突起２４Ｃは、蓋側斜面４４Ｄに沿うようにして孔４４の奥に入り込み、内側に誘い込まれる。これにより、押さえ部４３は、被押さえ部２４をコネクタ６０側に押圧する。このようにして、被押さえ部２４は、押さえ部４３からの押圧によって弾性変形し、コネクタ６０に押さえ付けられる形で接触することになる。そのため、被押さえ部２４とコネクタ６０との接触状態をより一層安定して維持することができる（図１２参照）。
【００３５】
以上のように、蓋部４０の押さえ部４３は、本体部２０にコネクタ６０が収容された収容状態において、被押さえ部２４に当たって被押さえ部２４とコネクタ６０との接触状態を維持する。そのため、被押さえ部２４によって、本体部２０からのコネクタ６０の離脱を確実に規制することができる。そして、蓋部４０が本体部２０に装着されているときのコネクタカバー１０によるコネクタ６０の保持力を向上させることができる。特に、被押さえ部２４が押さえ部４３によってコネクタ６０側に押さえつけられた状態で蓋部４０が本体部２０に装着されるため、コネクタカバー１０によるコネクタ６０の保持力がより一層向上する。
【００３６】
また、コネクタカバー１０は、蓋部４０が本体部２０に装着されているときに、被押さえ部２４の突起２４Ｃが押さえ部４３の孔４４に進入した状態で、突起２４Ｃが孔４４の内面に当たっている。そのため、蓋部４０が本体部２０に装着されているときに、被押さえ部２４の突起２４Ｃが外側からの干渉をし難くしている。
【００３７】
続いて、図１〜図４に示すように、上側導入部５０は、複数の電線Ｗを覆うようにして下側導入部３０に被せられる。上側導入部５０の外縁が、下側導入部３０の第１側壁３２及び第２側壁３３の上端に上方から重なる。上側導入部５０で下側導入部３０を覆う過程において、上述した係止片４５の係止突起２５への係止と同様に、一対の係止片５１がそれぞれ一対の係止孔５１Ａに係止する。これにより、上側導入部５０と下側導入部３０とは、位置ずれすることなく緊密に連結された状態になる。
【００３８】
以上のようにして、コネクタカバー１０は、コネクタ６０の外周を覆うとともに、コネクタ６０から引き出される複数の電線Ｗを、所望の方向へ屈曲させて導出させる。
＜他の実施例＞
以下、他の実施例を簡単に説明する。
（１）上記実施例１では、押さえ部４３に蓋側斜面４４Ｄが形成されていたが、図１３に示すように、被押さえ部２４に本体側斜面２４Ｄが形成されていてもよい。図１３では、突起２４Ｃの先端に本体側斜面２４Ｄが形成されている。本体側斜面２４Ｄは、下方（蓋部４０が開口部２７を閉塞する方向）に向かって外側に傾斜している。また、押さえ部４３には、蓋側斜面４４Ｄの代わりに内側に突出する凸部４４Ｅが形成されている。これにより、蓋部４０を閉状態にする際に、突起２４Ｃは、本体側斜面２４Ｄに沿うように当たる凸部４４Ｅによって、内側に誘い込まれる。
（２）上記実施例１では、押さえ部４３のみに蓋側斜面４４Ｄが形成されていたが、図１４に示すように、被押さえ部２４にも本体側斜面２４Ｄが形成されていてもよい。図１４では、突起２４Ｃの先端に本体側斜面２４Ｄが形成されている。本体側斜面２４Ｄは、下方（蓋部４０が開口部２７を閉塞する方向）に向かって外側に傾斜している。また、押さえ部４３には、実施例１と同様に、蓋側斜面４４Ｄが形成されている。これにより、蓋部４０を閉状態にする際に、突起２４Ｃは、本体側斜面２４Ｄが蓋側斜面４４Ｄに沿うようにして孔４４の奥に入り込み、内側に誘い込まれる。
（３）上記実施例１では、突起２４Ｃが蓋側斜面４４Ｄに当たることによって、被押さえ部２４が弾性変形してコネクタ６０に押さえ付けられる形で接触していた。しかしながら、被押さえ部２４は、弾性変形することなくコネクタ６０に接触してもよい。
（４）上記実施例１では、突起２４Ｃが蓋側斜面４４Ｄに当たることによって、被押さえ部２４がコネクタ６０に押さえ付けられる形で接触していた。しかしながら、孔４４に蓋側斜面４４Ｄが設けられず、突起２４Ｃが孔４４の外側側面４４Ｂに当たることで、被押さえ部２４が弾性変形してコネクタ６０に押さえ付けられる形で接触してもよい。
（５）上記実施例１では、本体部２０の左右両端に被押さえ部２４が設けられていたが、いずれか一方の端のみに設けられていてもよい。
【符号の説明】
【００３９】
１０…コネクタカバー
２０…本体部
２１…底壁部
２１Ａ…設置面
２２…側壁部
２２Ａ…スリット
２４…被押さえ部
２４Ｂ…接触部
２４Ｃ…突起
２４Ｄ…本体側斜面
４０…蓋部
４３…押さえ部
４４…孔
４４Ｄ…蓋側斜面
６０…コネクタ
６２Ａ…第１ガイド部（ガイド部）
６２Ｂ…第２ガイド部（ガイド部）
【図１】
2020126713.tif 000003
【図２】
2020126713.tif 000004
【図３】
2020126713.tif 000005
【図４】
2020126713.tif 000006
【図５】
2020126713.tif 000007
【図６】
2020126713.tif 000008
【図７】
2020126713.tif 000009
【図８】
2020126713.tif 000010
【図９】
2020126713.tif 000011
【図１０】
2020126713.tif 000012
【図１１】
2020126713.tif 000013
【図１２】
2020126713.tif 000014
【図１３】
2020126713.tif 000015
【図１４】
2020126713.tif 000016